(57)【要約】【課題】　即時に所望状態を設定するカスタマイズ装置を提供する。【解決手段】　送信部であるトランスミッタ３１からの利用者を特定するための識別コードＤの認証確定時に送信部３１からの信号に基づいて駆動ユニットを駆動するキーレス処理及び車両に搭載される電装品であるエアコン４０，オーディオ５０，パワーウインド６０，パワーシート７０等の制御を行うと共に電装品の各種設定を登録するカスタマイズモードを実行する制御部１３を有する制御ユニット１０と、前記カスタマイズモードを実行させる信号を入力するための制御部１３に有する端子１５と、前記カスタマイズモードの実行において前記設定に関する設定内容を設定する入力部９０と、前記設定内容を表示する表示部１２と、入力部９０により設定される前記設定内容を識別コードＤに関係付けて登録する記憶部１４とを有する。制御ユニット１０は、前記車両の状態に関する表示を行う各種メータを有するメータユニットであり、表示部１２は前記メータである。【選択図】　図１
2004001765.tif 000002
【特許請求の範囲】
【請求項１】
　車両に搭載される電装品の各種設定を登録するカスタマイズモードを実行する制御部と、前記カスタマイズモードを実行させる信号を入力するための端子と、前記カスタマイズモードの実行において前記設定に関する設定内容を設定する入力部と、前記入力部により設定される前記設定内容を登録する記憶部と、を有することを特徴とするカスタマイズ装置。
【請求項２】
　少なくとも前記制御部は車両に搭載されている電装品の装備を兼用することを特徴とする請求項１に記載のカスタマイズ装置。
【請求項３】
　車両に搭載される電装品の各種設定を登録するカスタマイズモードを実行する制御部と、前記カスタマイズモードを実行させる信号を入力するための端子と、前記設定内容を表示する表示部と、を有する制御ユニットと、
　前記カスタマイズモードの実行において前記設定に関する設定内容を設定する入力部と、
　前記入力部により設定される前記設定内容を登録する記憶部と、
を有することを特徴とするカスタマイズ装置。
【請求項４】
　少なくとも前記制御ユニットは車両に搭載されている電装品の装備を兼用することを特徴とする請求項３に記載のカスタマイズ装置。
【請求項５】
　前記制御ユニットは、前記車両の状態に関する表示を行う各種メータを有するメータユニットであることを特徴とする請求項３に記載のカスタマイズ装置。
【請求項６】
　前記表示部は、走行情報を表示するデジタルメータであることを特徴とする請求項５に記載のカスタマイズ装置。
【請求項７】
　前記メータユニットは、車両の走行情報を表示するアナログメータを有することを特徴とする請求項５に記載のカスタマイズ装置。
【発明の詳細な説明】
【技術分野】
【０００１】
　本発明は、例えば、四輪車両（以下、車両）に搭載されるカスタマイズ装置に関し、車両の利用者が前記車両の電装品の各種設定を所望状態へ自動的に設定することを可能としたり、同一の車両を複数の利用者で使用する場合の前記利用者毎の前記車両の電装品の各種設定を所望状態へ自動的に設定することを可能とするカスタマイズ装置に関するものである。
【背景技術】
【０００２】
　従来より、車両の利用者が前記車両の電装品の各種設定を所望状態へ自動的に設定することを可能としたり、同一の車両を複数の利用者で使用する場合の前記利用者毎の前記車両の電装品の各種設定を所望状態へ自動的に設定することを可能とする技術は知られており、例えば、座席位置やルームミラー角度、ラジオの選局、エアコン設定温度等の電装品の各種設定を利用者毎の所望状態への自動的な設定（プリセット）は、車両の使い勝手の向上に大きく寄与するものである。
【発明の開示】
【発明が解決しようとする課題】
【０００３】
　現在実用化されている前記プリセットを行うための前記電装品の各種設定を登録するカスタマイズ装置は、車両販売ディーラーに用意されているテスター等の専用装置であるため、利用者が前記所望状態を変更するにはそのディーラーへ出向くことを必要とするため、非常に煩わしい作業となっていた。
【０００４】
　また、特開平１１−２８８２９６号公報には、前記利用者から得られる情報に基づいて前記利用者を確実に特定することによって、その特定された利用者に対応する学習効果に基づく所定の情報処理を実行することにより、前記利用者毎にプリセットするものが開示されているが、前記学習を通して初めてプリセットが可能となる構成であって、即時に前記所望状態を設定する要望には応じにくい。
【課題を解決するための手段】
【０００５】
　前記課題を解決するため、本発明のカスタマイズ装置は、請求項１に記載のように、車両に搭載される電装品の各種設定を登録するカスタマイズモードを実行する制御部と、前記カスタマイズモードを実行させる信号を入力するための端子と、前記カスタマイズモードの実行において前記設定に関する設定内容を設定する入力部と、前記入力部により設定される前記設定内容を登録する記憶部と、を有する。
【０００６】
　また、請求項１において請求項２に記載のように、少なくとも前記制御部は車両に搭載されている電装品の装備を兼用する。
【０００７】
　また、請求項３に記載のように、車両に搭載される電装品の各種設定を登録するカスタマイズモードを実行する制御部と、前記カスタマイズモードを実行させる信号を入力するための端子と、前記設定内容を表示する表示部と、を有する制御ユニットと、前記カスタマイズモードの実行において前記設定に関する設定内容を設定する入力部と、前記入力部により設定される前記設定内容を登録する記憶部と、を有する。
【０００８】
　また、請求項３において請求項４に記載のように、少なくとも前記制御ユニットは車両に搭載されている電装品の装備を兼用する。
【０００９】
　また、請求項３において請求項５に記載のように、前記制御ユニットは、前記車両の状態に関する表示を行う各種メータを有するメータユニットである。
【００１０】
　また、請求項５において請求項６に記載のように、前記表示部は、走行情報を表示するデジタルメータである。
【００１１】
　また、請求項５において請求項７に記載のように、前記メータユニットは、車両の走行情報を表示するアナログメータを有する。
【発明の効果】
【００１２】
　この発明によれば、即時に所望状態を設定するカスタマイズ装置を実現することができる効果を有するものである。
【発明を実施するための最良の形態】
【００１３】
　本発明を、添付図面に示した実施形態に基づき説明する。
【００１４】
　図１は、全体の構成を示しており、１０は、走行速度やエンジン回転数等の走行情報をアナログ計器の指針指示にて表示するアナログメータ１１や走行距離等の走行情報を複数桁のデジタル数字もしくはこれに類する意匠にて表示するデジタルメータ（本実施例では、６桁のデジタル数字に類する日の字状セグメントから成る走行距離計（ＯＤＯ）又は区間距離計（ＴＲＩＰ））１２等の車両の走行状態を表示する表示部を内蔵する制御ユニットたるメータユニット、１３は、メータユニット１０に内蔵され、各メータ１１，１２の駆動処理、後述する電装品を制御するための各種処理を兼用して行うマイコン等からなる制御部、２０は、メータユニット１０に着脱自在に設けられて、携帯用（例えば、イグニッションキー３０に内蔵されている）のトランスミッタ３１からの識別コードＤ（利用者毎に複数種類設定可能である）をアンテナ２１を介して受信するＲＦ受信部２２を含む機能ユニットたる受信ユニット、１４は、ＥＥＰＲＯＭ等の記憶素子からなる記憶部、４０は、制御部１３からの命令である出力信号に基づいて制御されるエアコン（ＡＣ）、５０は、制御部１３からの命令である出力信号に基づいて制御されるオーディオ（ＡＤ）、６０は、制御部１３からの命令である出力信号に基づいて制御されるパワーウインド（ＰＷ）、７０は、制御部１３からの命令である出力信号に基づいて制御されるパワーシート（ＰＳ）であり、これらは多重通信線８０を介してメータユニット１０に接続されていると共にプリセットの対象となる電装品である。
【００１５】
　アンテナ２１を介してＲＦ受信部２２で受信するトランスミッタ３１から送られる利用者を特定するための識別コードＤは、受信ユニット２０から制御ユニット１０へ送られ、記憶部１４で記憶している内容と照合して一致していることが確認された認証確定時には、制御部１３がドアロック等の駆動ユニット（図示しない）を制御して、ロックやアンロックを行うもので、これらはキーレス処理あるいはキーレスエントリー処理等と呼ばれる。
【００１６】
　次に、図２を加えて、プリセットの手順について具体例を説明する。
【００１７】
　この車両の利用者は、制御部１３のカスタマイズ用端子１５を外部より操作して制御部１３が予め設定されているカスタマイズモードを実行するように指示を与える。具体的には、通常は電位がロウ・レベルにある端子１５をキーボードやスイッチ等から成る入力部９０の操作によりハイ・レベルへ変更することで行われる。
【００１８】
　制御部１３がカスタマイズモードに入ると、デジタルメータ１２の表示形態を走行距離や区間距離を表示する通常モード（図２（ａ））からカスタマイズモードへ移行したことを示す表示へ切り替わるが、プリセットたる前記電装品の所望状態を変更する順番は、予め制御部１３にプログラムされており、この実施例では、まずトランクスイッチ３２の操作時間の設定を行う。トランクスイッチ３２は、イグニッションキー３０に付設されており、このスイッチ３０を所定時間押圧操作することにより、車両のトランクが開くが、車両の工場出荷時点では初期値（７００ミリ秒）が設定されており、その内容がデジタルメータ１２で表示される（図２（ｂ））。この設定内容で良ければ入力部９０を操作して次の設定項目へ移動する（図２（ｄ））が、設定内容を変更したい場合には入力部９０で所望の数値（２５０ミリ秒）を設定した（図２（ｃ））後に次の設定項目へ移動する。
【００１９】
　なお、入力部９０は、「通常モードとカスタマイズモードとの切り替え」「設定項目の選択」「設定内容の入力」「設定内容の登録」等の機能別に分けて複数個のスイッチにより構成しても良いし、カスタマイズモードへ移行するための専用のスイッチのみ設け、個々の電装品の設定内容は、それらの電装品に用意されているスイッチ等を操作して行うように兼用する構成としても良い。あるいは、入力部９０として１個のスイッチを用意し、短い時間の押圧操作で「通常モードとカスタマイズモードとの切り替え」「設定項目の選択」を行い、各設定項目においては短い時間の押圧操作で予め電装品毎に用意されている複数の設定内容を順次切り替えながら表示し、利用者の所望の前記設定内容が表示された時点で長い時間の押圧操作で「設定内容の登録」を行い、その後の短い時間の押圧操作で次の設定項目（電装品）へ移り、以下同様な操作を繰り返すことにより、前記電装品の所望状態を変更する構成とすることもできる。
【００２０】
　以下同様であって、図２では、エンジン始動後のエアコン始動の選択、エンジン始動後のオーディオ始動の選択の例を示しており、両設定項目とも初期値は始動させない設定（図２（ｄ），（ｆ））だが、イグニッションスイッチ３０のオフ時のエアコンの状態とは無関係にエンジン始動後にエアコンを自動的に始動させる設定（図２（ｅ））、オーディオを自動的に始動させる設定（図２（ｇ））にすることができる。
【００２１】
　このような設定が一通り完了すると、前記設定内容は記憶部１４の所定の領域に書き込まれて記憶保持される。この際、カスタマイズモードを実行する直前に使用したトランスミッタ３１からの識別コードＤと関連付けて登録（記憶）されている。図３，図４は、記憶例を示しており、３種類の識別コードＤ１〜Ｄ３毎に前記設定内容が記憶されている状態を示している。なお、カスタマイズモードを実行する前に識別コードＤ（Ｄ１〜Ｄ３）を要求する構成としても良い。
【００２２】
　斯かる構成により、トランスミッタ３１を操作した利用者が車両に乗り込むと、その時受信ユニット２０を介して制御部１３が受信した識別コードＤに基づき、制御部１３はその識別コードＤに関係付けられた電装品の設定内容を読み出し、それらに合わせて前記電装品を所望の状態にプリセットする。
【００２３】
　例えば、図３の場合には、識別コードＤがＤ１であると認識されると、エアコン４０とオーディオ５０の電源をオン（駆動状態）にする。また、図４の場合には、識別コードＤがＤ１であると認識されると、エアコン４０とオーディオ５０の電源をオン（駆動状態）にすると共にエアコン４０を「摂氏ａ度」、オーディオ５０を「ＦＭラジオｃ局」に合わせ、パワーウインド６０とパワーシート７０を夫々「ポジションｄ」と「ポジションｇ」に合わせる。
【００２４】
　なお、電装品の駆動には、大きな電気的負荷を伴うものがあることから、このようなプリセットは、前記車両の所定条件成立後に行われることが望ましく、その所定条件としては、例えば、利用者のイグニッションキー３０の操作による前記車両のエンジン始動、又は、利用者のイグニッションキー３０の操作による前記車両のドア施錠後の前記ドア開錠等が考えられる。前者では、エンジンの始動により十分な電力の供給が可能な状態にあることから前記電装品を駆動しても問題はないと思われるし、後者では、ドアをロックした後のアンロックであるから利用者が車両内に存在する蓋然性が高く前記電装品を駆動することによる不具合の発生に対しての処理が迅速に行われる可能性が高く大きな問題を生じないと考えられるからである。
【００２５】
　また、カスタマイズモードの他の例としては、例えば、入力部９０からの指示により制御部１３がカスタマイズモードへ移行した時点における前記電装品の状態を前記設定内容として登録するものでも良い。
【図面の簡単な説明】
【００２６】
【図１】本発明の実施形態の構成を説明するブロック図。
【図２】同上の表示方法を説明する平面図。
【図３】同上の設定内容を説明する説明図。
【図４】同上の他の設定内容を説明する説明図。
【符号の説明】
【００２７】
　１０　メータユニット（制御ユニット）
　１１　アナログメータ
　１２　デジタルメータ（表示部）
　１３　制御部
　１４　記憶部
　２０　受信ユニット（受信部）
　３０　イグニッションキー
　３１　トランスミッタ（送信部）
　３２　トランクスイッチ
　４０　エアコン（電装品）
　５０　オーディオ（電装品）
　６０　パワーウインド（電装品）
　７０　パワーシート（電装品）
　８０　多重通信線
　９０　入力部
　Ｄ（Ｄ１〜Ｄ３）　識別コード
【図１】
2004001765.tif 000003
【図２】
2004001765.tif 000004
【図３】
2004001765.tif 000005
【図４】
2004001765.tif 000006